(57)【要約】【課題】学習効果が高められる表示装置を提供する。【解決手段】実施形態によれば、表示装置は、電磁線出射部を含む。前記電磁線出射部は、複数の出射部を含み、第１順方向動作及び第１逆方向動作を実施する。前記複数の出射部は、前記第１方向に沿って並び電磁線を出射する。前記電磁線出射部の移動方向が前記第１方向と交差する第２方向の成分を有する順方向のとき、前記第１順方向動作が実施される。前記第１順方向動作において、前記電磁線出射部は、前記電磁線によりデータを表示する。前記移動方向が前記第２方向とは逆の成分を含む逆方向のとき、前記第１逆方向動作が実施される。前記第１逆方向動作において、前記電磁線出射部は、前記電磁線により前記データを表示する。【選択図】図１
2017167468.tif 000002
【特許請求の範囲】
【請求項１】
第１方向に沿って並び電磁線を出射する複数の出射部を含み、第１順方向動作及び第１逆方向動作を実施する電磁線出射部を備え、
前記電磁線出射部の移動方向が前記第１方向と交差する第２方向の成分を有する順方向のとき、前記第１順方向動作が実施され、前記第１順方向動作において、前記電磁線出射部は、前記電磁線によりデータを表示し、
前記移動方向が前記第２方向とは逆の成分を含む逆方向のとき、前記第１逆方向動作が実施され、前記第１逆方向動作において、前記電磁線出射部は、前記電磁線により前記データを表示する、表示装置。
【請求項２】
前記電磁線出射部は、前記第１順方向動作及び前記第１逆方向動作において、前記データとして第１文字を表示し、
前記第１順方向動作において、前記第１文字の上下方向は、前記第１方向に沿っており、
前記電磁線出射部は、前記第１逆方向動作における前記複数の出射部からの前記電磁性の出射の時間的順番を、前記第１順方向動作における前記複数の出射部からの前記電磁線の出射の時間的順番と逆にする、請求項１記載の表示装置。
【請求項３】
前記電磁線出射部は、前記第１順方向動作及び前記第１逆方向動作において、前記データとして第１文字を表示し、
前記第１順方向動作において、前記第１文字の上下方向は、前記第１方向と交差し、
前記電磁線出射部は、前記第１逆方向動作における前記複数の出射部からの前記電磁線の出射の時間的順番を、前記第１順方向動作における前記複数の出射部からの前記電磁線の出射の時間的順番と逆にする、請求項１記載の表示装置。
【請求項４】
前記電磁線出射部は、前記第１順方向動作及び前記第１逆方向動作において、前記データとして第１文字を表示し、
前記第１順方向動作において、前記第１文字の上下方向は、前記第１方向と交差し、
前記電磁線出射部は、前記第１逆方向動作における前記複数の出射部からの前記電磁線の出射における前記第１方向に沿う位置的順番を、前記第１順方向動作における前記複数の出射部からの前記電磁線の出射における前記第１方向に沿う位置的順番と逆にする、請求項１記載の表示装置。
【請求項５】
前記電磁線出射部は、第２順方向動作及び第２逆方向動作をさらに実施し、
前記移動方向が前記順方向であるとき、前記第１順方向動作の後に前記第２順方向動作が実施され、前記第２順方向動作において、前記電磁線出射部は、前記複数の出射部から出射した電磁線により第２文字を表示し、
前記移動方向が前記逆方向のとき、前記第１逆方向動作の後に前記第２逆方向動作が実施され、前記第２逆方向動作において、前記電磁線出射部は、前記電磁線により前記第２文字を表示する、請求項２〜４のいずれか１つに記載の表示装置。
【請求項６】
前記電磁線出射部は、第２順方向動作及び第２逆方向動作をさらに実施し、
前記移動方向が前記順方向であるとき、前記第１順方向動作の後に前記第２順方向動作が実施され、前記第２順方向動作において、前記電磁線出射部は、前記複数の出射部から出射した電磁線により第２文字を表示し、
前記移動方向が前記逆方向のとき、前記第１逆方向動作の前に前記第２逆方向動作が実施され、前記第２逆方向動作において、前記電磁線出射部は、前記電磁線により前記第２文字を表示する、請求項２〜４のいずれか１つに記載の表示装置。
【請求項７】
前記第１逆方向動作における前記第１文字は、前記第１順方向動作における前記第１文字の鏡反転ではない、請求項２〜６のいずれか１つに記載の表示装置。
【請求項８】
前記データは、１つ以上の文字データであり、
前記第１順方向動作が実行されるとき、第１の角度で回転された前記文字データの各々を表示させ、
前記第１逆方向動作が実行されるとき、第２の角度で回転された前記文字データの各々を表示させる、請求項１記載の表示装置。
【請求項９】
第１方向に沿って並ぶ複数の出射部を含み、第１順方向動作及び第１逆方向動作を実施する電磁線出射部を備え、
前記電磁線出射部の移動方向が前記第１方向と交差する第２方向の成分を有する順方向であるとき、前記第１順方向動作が実施され、前記第１順方向動作において、前記電磁線出射部は、前記複数の出射部から出射した電磁線により第１文字列を表示し、
前記移動方向が前記第２方向とは逆方向の成分を含む逆方向のとき前記第１逆方向動作が実施され、前記第１逆方向動作において、前記電磁線出射部は、前記電磁線により前記第１文字列に対応する第２文字列を表示する、表示装置。
【請求項１０】
前記第１文字列は、第１言語であり、
前記第２文字列は、第１言語とは異なる第２言語であり、
前記第２文字列の意味は、前記第１文字列の意味に対応する、請求項９記載の表示装置。
【請求項１１】
前記第２文字列の意味は、前記第１文字列の意味と反対である、請求項９記載の表示装置。
【請求項１２】
前記第１文字列は、複数の言葉の集合体を意味し、
前記第２文字列は、前記複数の言葉の１つである、請求項９記載の表示装置。
【請求項１３】
蓄光層を含む表示部をさらに備え、
前記第１順方向動作及び前記第１逆方向動作において、前記電磁波が前記蓄光層に照射され、
前記移動方向は、前記表示部の表面に沿う方向である、請求項１〜１２のいずれか１つに記載の表示装置。
【請求項１４】
前記電磁線出射部は、
前記複数の出射部と前記表示部との間の距離を検出する距離検出部と、
前記複数の出射部を制御する制御部と、
をさらに含み、
前記制御部は、前記距離検出部からの検出結果に基づいて、前記複数の出射部から出射される前記電磁線の強度を変更する、請求項１３記載の表示装置。
【請求項１５】
前記電磁線出射部は、
前記移動方向を検出する方向検出部と、
前記複数の出射部を制御する制御部と、
をさらに含み、
前記制御部は、前記方向検出部により検出された前記移動方向に基づいて、前記複数の出射部の前記第１順方向動作及び第１逆方向動作を制御する、請求項１〜１４のいずれか１つに記載の表示装置。
【請求項１６】
前記移動方向は、前記電磁線出射部が動き出したときの方向、または、前記電磁線出射部の動きの方向が変化したときの方向を含む請求項１〜１５のいずれか１つに記載の表示装置。
【発明の詳細な説明】
【技術分野】
【０００１】
本発明の実施形態は、表示装置に関する。
【背景技術】
【０００２】
文字や言葉を覚えるための学習用の表示装置がある。学習効果が高い表示装置が望まれる。
【先行技術文献】
【特許文献】
【０００３】
【特許文献１】特開２０１４−１８６０６３号公報
【発明の概要】
【発明が解決しようとする課題】
【０００４】
本発明の実施形態は、学習効果が高められる表示装置を提供する。
【課題を解決するための手段】
【０００５】
本発明の実施形態によれば、表示装置は、電磁線出射部を含む。前記電磁線出射部は、複数の出射部を含み、第１順方向動作及び第１逆方向動作を実施する。前記複数の出射部は、前記第１方向に沿って並び電磁線を出射する。前記電磁線出射部の移動方向が前記第１方向と交差する第２方向の成分を有する順方向のとき、前記第１順方向動作が実施される。前記第１順方向動作において、前記電磁線出射部は、前記電磁線によりデータを表示する。前記移動方向が前記第２方向とは逆の成分を含む逆方向のとき、前記第１逆方向動作が実施される。前記第１逆方向動作において、前記電磁線出射部は、前記電磁線により前記データを表示する。
【図面の簡単な説明】
【０００６】
【図１】図１（ａ）〜図１（ｅ）は、第１の実施形態に係る表示装置を例示する模式図である。
【図２】図２（ａ）〜図２（ｃ）は、第１の実施形態に係る表示装置における動作を例示する模式図である。
【図３】図３（ａ）及び図３（ｂ）は、参考例の表示装置による表示を例示する模式図である。
【図４】図４（ａ）及び図４（ｂ）は、第１の実施形態に係る表示装置における別の動作を例示する模式図である。
【図５】図５（ａ）及び図５（ｂ）は、第１の実施形態に係る表示装置における別の動作を例示する模式図である。
【図６】図６（ａ）〜図６（ｃ）は、第１の実施形態に係る表示装置の別の動作を例示する模式図である。
【図７】図７（ａ）及び図７（ｂ）は、参考例の表示装置による表示を例示する模式図である。
【図８】図８（ａ）及び図８（ｂ）は、第１の実施形態に係る表示装置における別の動作を例示する模式図である。
【図９】図９（ａ）及び図９（ｂ）は、第１の実施形態に係る表示装置における別の動作を例示する模式図である。
【図１０】図１０（ａ）及び図１０（ｂ）は、第１の実施形態に係る表示装置における別の動作を例示する模式図である。
【図１１】図１１（ａ）及び図１１（ｂ）は、第１の実施形態に係る表示装置における別の動作を例示する模式図である。
【図１２】図１２（ａ）及び図１２（ｂ）は、第１の実施形態に係る表示装置における別の動作を例示する模式図である。
【図１３】図１３（ａ）及び図１３（ｂ）は、第１の実施形態に係る表示装置における別の動作を例示する模式図である。
【図１４】図１４（ａ）及び図１４（ｂ）は、第１の実施形態に係る表示装置における別の動作を例示する模式図である。
【図１５】図１５（ａ）及び図１５（ｂ）は、第１の実施形態に係る表示装置における別の動作を例示する模式図である。
【図１６】図１６（ａ）及び図１６（ｂ）は、第１の実施形態に係る表示装置における別の動作を例示する模式図である。
【図１７】図１７（ａ）及び図１７（ｂ）は、第２の実施形態に係る表示装置における動作を例示する模式図である。
【図１８】図１８（ａ）及び図１８（ｂ）は、第２の実施形態に係る表示装置における別の動作を例示する模式図である。
【図１９】図１９（ａ）及び図１９（ｂ）は、第２の実施形態に係る表示装置における別の動作を例示する模式図である。
【図２０】図２０（ａ）及び図２０（ｂ）は、第２の実施形態に係る表示装置における別の動作を例示する模式図である。
【図２１】図２１（ａ）及び図２１（ｂ）は、第２の実施形態に係る表示装置における別の動作を例示する模式図である。
【図２２】図２２（ａ）及び図２２（ｂ）は、実施形態に係る表示装置を例示する模式図である。
【発明を実施するための形態】
【０００７】
以下に、本発明の各実施の形態について図面を参照しつつ説明する。  
図面は模式的または概念的なものであり、各部分の厚みと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１の実施形態）  
図１（ａ）〜図１（ｅ）は、第１の実施形態に係る表示装置を例示する模式図である。  図１（ａ）及び図１（ｂ）は、斜視図である。図１（ｃ）及び図１（ｄ）は、平面図である。図１（ｅ）は、断面図である。
【０００９】
図１（ａ）に示すように、本実施形態に係る表示装置１１０は、電磁線出射部１０を含む。電磁線出射部１０は、複数の出射部１１を含む（図２２（ａ）参照）。複数の出射部１１は、１つ方向（第１方向Ｄ１）に沿って並ぶ。複数の出射部１１には、例えば、ＬＥＤなどが用いられる。
【００１０】
この例では、表示装置１１０に表示部２１０がさらに設けられる。例えば、表示部２１０の表面２１０ａに沿って、電磁線出射部１０が移動する。例えば、表示装置１１０の使用者が、電磁線出射部１０を手で持って、表示部２１０の表面２１０ａに沿って電磁線出射部１０を移動させる。
【００１１】
表示部２１０の表面２１０ａに対して垂直な方向をＺ軸方向とする。Ｚ軸方向に対して垂直な１つの方向をＸ軸方向とする。Ｚ軸方向及びＸ軸方向に対して垂直な方向をＹ軸方向とする。
【００１２】
例えば、電磁線出射部１０の移動方向は、表示部２１０の表面２１０ａに沿う方向（例えばＸ−Ｙ平面に実質的に平行な１つの方向）である。
【００１３】
図１（ｅ）に示すように、出射部１１から電磁線１５が出射する。電磁線１５は、例えば、紫外線及び光（例えば可視光）の少なくともいずれかを含む。電磁線１５は、表示部２１０に入射する。
【００１４】
表示部２１０は、蓄光層２１１を含む。蓄光層２１１は、蓄光層２１１に照射される電磁線（例えば光）を所定時間蓄える。蓄光層２１１は、蓄光層２１１に照射される電磁線（例えば光）に応じて、光（例えば可視光を含む）を発生する。蓄光層２１１は、例えば、硫化亜鉛及びアルミン酸化合物（例えばアルミン酸ストロンチウムなど）の少なくともいずれかを含む。例えば、蓄光層２１１は、蓄光性を有する粒子と、その粒子を覆うコート層と、を含んでも良い。コート層には、例えば、ガラスまたは高分子樹脂などが用いられる。電磁線１５の波長は、蓄光層２１１の特性に合わせて選択される。電磁線１５のピーク波長は、例えば、約４０５ｎｍである。ピーク波長は、約４２０ｎｍでも良い。
【００１５】
蓄光層２１１に電磁線１５が照射されると、電磁線１５により励起状態が生成され、蓄光層２１１から光が放出される。蓄光においては、照射された光（例えば電磁線１５）に基づいて光が放出され、照射が終了した後にも光（例えば可視光を含む）が放出される。照射が終了した後における光の放出の継続時間は、例えば、蓄光層２１１に用いられる材料に依存する。蓄光は、燐光を含んでも良い。蓄光層２１１が蓄光可能な光が蓄光層２１１に照射されたときに、蓄光層２１１において励起状態が生成され、蓄光層２１１からその光に基づく光が放出される。蓄光層２１１における光の放出の継続時間は、例えば、０．１秒以上であり、例えば１秒以上である。
【００１６】
例えば、外部機器４０から、データが電磁線出射部１０に送信される。電磁線出射部１０の複数の出射部１１から、このデータに基づく電磁線１５が出射される。複数の出射部１１のそれぞれから、このデータに基づくタイミングで電磁線１５が出射される。複数の出射部１１の並ぶ第１方向Ｄ１と交差する方向に沿って電磁線出射部１０が移動する。電磁線１５が可視光を含む場合、複数の出射部１１から出射した電磁線１５は、ユーザに「表示」として知覚される。例えば、ユーザの目における残光効果により、「表示」が知覚されても良い。
【００１７】
さらに、実施形態において、複数の出射部１１から出射した電磁線１５が、上記の蓄光層２１１を含む表示部２１０に入射すると、蓄光層２１１における蓄光効果（遅延効果）により、電磁線１５による表示は、より知覚されやすくなる。
【００１８】
このような複数の出射部１１を有する電磁線出射部１０を、例えば、左から右へ移動させて正常な文字が表示され場合、一般的には、逆の方向（右から左）に移動させると、鏡反転した文字となる。
【００１９】
これに対して、本実施形態においては、左から右へ移動させて正常な文字が表示される場合に、逆の方向（右から左）に移動させても、鏡反転した文字ではなく、正常な文字が表示される。これにより、文字や言葉を覚えるためなどの学習において、高い学習効果が得られる。例えば、高い教育効果が得られる。
【００２０】
実施形態において、電磁線出射部１０は、例えば、以下の複数の動作（第１順方向動作及び第１逆方向動作）を行う。図１（ａ）及び図１（ｃ）は、第１順方向動作ＯＰ１を例示している。図１（ｂ）及び図１（ｄ）は、第１逆方向動作ＯＲ１を例示している。説明を簡単にするために、これらの例では、複数の出射部１１が並ぶ方向（第１方向Ｄ１）を、Ｙ軸方向としている。そして、表示される第１文字Ｃ１の上下方向ＣＲは、第１方向Ｄ１に沿っている（図１（ｃ）及び図１（ｄ）参照）。
【００２１】
図１（ａ）及び図１（ｃ）に示すように、第１順方向動作ＯＰ１において、電磁線出射部１０の移動方向Ｄｒは、順方向である。順方向は、第２方向Ｄ２の成分を含む。第２方向Ｄ２は、第１方向（複数の出射部１１が並ぶ方向）と交差する。図１（ｃ）に例示するように、第２方向Ｄ２は、例えば左から右への方向である。第２方向Ｄ２は、複数の出射部１１を基準にした方向である。以下では、順方向が第２方向Ｄ２に沿う場合として説明する。
【００２２】
移動方向Ｄｒがこのような順方向（第２方向Ｄ２）であるときに、第１順方向動作ＯＰ１が実施される。第１順方向動作ＯＰ１において、電磁線出射部１０は、複数の出射部１１から出射した電磁線１５によりデータを表示する。データは、例えば第１文字Ｃ１である。この例では、第１文字Ｃ１は、「ａ」である。第１文字Ｃ１は、ユーザにより正しく認識できる。
【００２３】
図１（ｂ）及び図１（ｄ）に示すように、移動方向Ｄｒが逆方向Ｒ２のときに、第１逆方向動作ＯＲ１が実施される。逆方向Ｒ２は、第２方向Ｄ２とは逆の成分を含む。逆方向Ｒ２は、第２方向Ｄ２と逆でも良い。図１（ｄ）に示すように、逆方向Ｒ２は、例えば右から左への方向である。逆方向Ｒ２は、複数の出射部１１を基準にした方向である。
【００２４】
移動方向Ｄｒがこのような逆方向Ｒ２であるときに、第１逆方向動作ＯＲ１が実施される。この第１逆方向動作ＯＲ１において、電磁線出射部１０は、電磁線１５によりデータ（この場合は第１文字Ｃ１）を表示する。この第１逆方向動作ＯＲ１において表示されるデータ（第１文字Ｃ１）は、鏡反転した文字ではない。第１文字Ｃ１（この例では「ａ」）は、ユーザにより正しく認識できる。
【００２５】
すなわち、移動方向Ｄｒが第２方向Ｄ２の第１順方向動作ＯＰ１において、電磁線１５により蓄光層２１１に第１文字Ｃ１が表示される。そして、第１逆方向動作ＯＲ１において、電磁線１５により蓄光層２１１に第１文字Ｃ１が表示される。この例では、第１順方向動作ＯＰ１及び第１逆方向動作ＯＲ１において、第１文字Ｃ１の上下方向ＣＲは、第１方向に沿っている。第１順方向動作ＯＰ１及び第１逆方向動作ＯＲ１の両方において、第１文字Ｃ１は正しく読める。
【００２６】
例えば、一列に並んだ複数の出射部１１から光を所定のタイミングで出射させつつ、複数の出射部１１を左右に繰り返し振ることで表示を行う参考例の方法がある。例えば、左右に繰り返し振る周期が、十分に短く、例えば、ヒトの目の残像の時間（例えば約２０ミリ秒以下）以下の場合には、正しく文字が読める方向（例えば左から右への方向）に移動させたときの光により、所定の文字が認識され、逆の方向（例えば右から左への方向）に移動するときには、光を出射させない方法がある。この方法によれば、正しく文字が読める方向への移動における光により、正しく文字が表示できる。しかしながら、この参考例においては、移動の周期がヒトの目の残像の時間よりも十分に短いときに有効である。すなわち、逆方向の移動のときには、光が出射されない。周期が短いときにはフリッカが生じ、見難い。文字の学習などには不適切である。
【００２７】
このような参考例の光を蓄光層に入射させて使用する場合には、大きな問題が生じる。複数の出射部１１から光を所定のタイミングで出射させつつ、左から右に移動させたときに、蓄光層に正しい文字が表示される。このときに、逆方向（右から左）に移動させたときには、鏡文字が表示されてしまう。蓄光層の蓄光の時間は、十分に長いため、この鏡文字は、ユーザに知覚される。一方、例えば、左から右に移動させたときに光を出射して蓄光層に正しい文字が表示され、逆方向（右から左）に移動させたときには、光を出射させない方法も考えられる。しかしながら、この方法では、一方の方向（例えば左から右）に移動したときにだけ表示され、逆の方向（右から左）の移動においては文字が表示されない。この場合、ユーザにおい大きな違和感がある。
【００２８】
実施形態においては、左から右へ移動させて正常な文字が表示される場合に、逆の方向（右から左）に移動させても、鏡反転した文字ではなく、正常な文字が表示できる。このような表示が得られるように、複数の出射部１１から出射する光を制御する。この制御の例については、後述する。実施形態においては、一方の方向、及び、逆の方向の両方の移動において正しく文字が表示できることにより、文字や言葉を覚えるためなどの学習において、高い学習効果が得られる。
【００２９】
例えば、子供が文字を覚える際に、固定的に表示されている文字を見ているときよりも、文字の表示状態が自分の動作により変化するときの方が、文字を効果的に覚えることができると考えられる。例えば、紙に書かれた文字を見てその文字を覚えるときに比べて、文字に対応する図形を書くことにより、その文字をより効果的に覚えることができると考えられる。例えば、紙に鉛筆で文字を書くことにより、文字を早く覚えられる。鉛筆による線を書く能力を未だ有していない幼い子供の場合は、この方法が適用できない。これは、幼い子供の場合には、文字に含まれる複数の線分のそれぞれを再現することが困難であるためである。このような幼い子供の場合においては、例えば、自分の行動（体の動き）によって文字が現れたり消えたりすることで、その文字に対する興味が大きくなる。例えば、子供が所定のスイッチを押すことで、所定の文字がディスプレイに表示され、スイッチを押さないときには文字が表示されないなどの状況があると、その子供は、その文字を早く覚えられると考えられる。例えば、目だけではなく、体を動かしながら文字を見ることで、子供は、その文字を早く覚えることができる。体の動きと表示とが連動することが効果的な学習に繋がる。
【００３０】
実施形態においては、例えば、ユーザ（例えば子供）が電磁線出射部１０を移動させる。この移動に伴い、複数の出射部１１から出射する電磁線１５により、文字が知覚される。ユーザの体の動きに応じて文字が表示されることで、文字に対する興味が大きくなる。
【００３１】
実施形態において、蓄光層２１１が用いられ、電磁線１５によって蓄光層２１１に表示される場合には、例えば、電磁線出射部１０の移動速度に応じて、表示される（知覚される）文字の形状（サイズなど）及び明るさなどが変化する。例えば、移動速度が高くなると移動方向に沿った文字の幅が大きくなる。例えば、移動速度が高くなると、単位面積あたりの明るさが低くなる。ユーザの体の動きに応じて文字の表示状態が変化するため、ユーザは、例えば、移動速度を変化させたり、移動方向を変化させたりして、そのときに表示される（知覚される）文字の変化を楽しむことができる。楽しむことにより、遊びながら文字が覚えられる。文字の学習が、効果的に行われる。
【００３２】
子供が文字を覚えるときに、鏡文字を覚えてしまうことが知られている。これは、子供において、上下方向の認識よりも左右方向の認識が困難であることが起因していると考えられる。
【００３３】
実施形態においては、一方の方向（例えば左から右）に移動したときに加えて、逆の方向（右から左）の移動においても、正しく文字が表示できる。逆方向の移動においても、正しい文字が表示される。これにより、例えば、左右方向の認識が未熟である場合にも、文字を効率的に、正しく覚えることができる。
【００３４】
例えば、逆の方向（右から左）の移動においても正しく文字が表示できることにより、例えば、左右方向の認識の程度が、効率的に高まる場合もある。
【００３５】
実施形態においては、ユーザの体の動きに連動して文字が表示される。そして、蓄光層２１１を用いる場合には、ユーザの体の動きに基づく電磁線出射部１０の移動の軌跡上に、文字が表示される。体の動きと連動した文字が表示されることで、より深い体験（学習）ができ、文字を効果的に学習できる。これにより、例えば、幼い子供においても、文字を効率的に正しく覚えることができる。ユーザによって、一方向の動きだけではなく、逆の動きがあることが、自然である。自然の動きを通じて、動きに連動した文字が表示されることで、文字の学習は、より効果的となる。一方の方向（例えば左から右）に移動したときに加えて、逆の方向（右から左）の移動においても正しく文字が表示されることで、文字を早く学習することができ、例えば、鏡文字が抑制できる。
【００３６】
以下、実施形態に係る表示装置１１０の構成の例について、説明する。  
図１（ａ）に示すように、この例では、電磁線出射部１０は、複数の出射部１１に加えて、バッテリ３１、通信部３２、記憶部３３、制御部２０、距離検出部３６、及び、方向検出部３７をさらに含む。バッテリ３１は、他の各部に電力を供給する。
【００３７】
通信部３２は、例えば、外部機器４０と通信を行う。外部機器４０として、例えば、携帯型のパーソナルコンピュータ（スマートフォンなどを含む）などが用いられる。例えば、データが、外部機器４０から通信部３２を介して電磁線出射部１０に送信される。データは、例えば、文字や絵等のビットマップデータ、または、文字コードデータ等を含む。例えば、文字コードデータを電磁線出射部１０が受信した場合、制御部２０は、文字コードデータから表示用のデータを生成する処理を行う。電磁線出射部１０の複数の出射部１１は、このデータに基づく電磁線１５を出射し、上記のような表示が行われる。
【００３８】
記憶部３３は、例えば、電磁線出射部１０及び制御部２０の動作で用いられるデータを格納する。例えば、外部機器４０からの通信によって得られるデータではなく、記憶部３３に記憶されたデータに基づく電磁線１５が出射されても良い。この場合、通信部３２は、省略しても良い。
【００３９】
制御部２０は、複数の電磁線出射部１０の動作を制御する。制御部２０として、例えば、マイクロコンピュータなどが用いられる。
【００４０】
距離検出部３６は、複数の出射部１１と表示部２１０との間の距離ｄ１１を検出する（図１（ｅ）参照）。距離ｄ１１は、例えば、Ｚ軸方向に沿う長さである。距離検出部３６は、例えば、光源及び受光素子を含んでも良い。例えば、光源から表示部２１０に斜めに入射し表示部２１０で反射した光（電磁波）を受光素子が検知する。距離検出部３６は、複数の出射部１１と表示部２１０との間の距離ｄ１１が閾値以下か、閾値よりも長いか、を検出できる。
【００４１】
例えば、距離ｄ１１が閾値よりも短いときに電磁線１５が出射され、距離ｄ１１が閾値以上のときに電磁線１５が出射されないようにしても良い。例えば、電磁線１５がユーザの目に直接入射しないようにすることができる。より安全な表示が可能になる。制御部２０は、距離ｄ１１が閾値未満か閾値以上かを判断することで、電磁線１５の強度を変更しても良い。距離検出部３６は、例えば電磁線出射部１０の底部に設けられたスイッチまたは圧力センサを含んでもよい。スイッチや圧力センサの出力により、制御部２０は、電磁線出射部１０が表示部２１０に上に載置されたか否かを判断し、出射部１１のオンオフまたは光強度の変更を行っても良い。
【００４２】
方向検出部３７は、電磁線出射部１０（例えば複数の出射部１１）の移動方向Ｄｒを検出する。例えば、方向検出部３７は、移動方向Ｄｒが、第２方向Ｄ２の成分を有するか、逆方向Ｒ２の成分を有するか、を検出する。方向検出部３７には、例えば、加速度センサなどが用いられる。方向検出部３７は、電磁線出射部１０と表示部２１０との間の相対的な移動方向（Ｘ−Ｙ平面に沿う方向）を検出しても良い。方向検出部３７として、例えば、表示部２１０の表面状態を読み取る画像センサが用いられても良い。方向検出部３７は、例えば、発光素子及び受光素子を含む光学センサを含んでも良い。方向検出部３７は、例えば、コンピュータ操作用のマウスで用いられるボール方式センサを含んでも良い。
【００４３】
例えば、制御部２０は、方向検出部３７により検出された移動方向Ｄｒに基づいて、複数の出射部１１の第１順方向動作ＯＰ１及び第１逆方向動作ＯＲ１を制御する。実施形態において、方向検出部３７の構成は、任意である。
【００４４】
図１（ｂ）に示すように、電磁線出射部１０に、操作ボタン３８Ｂ、ランプ３８Ｌ及びスピーカ３８Ｓなどが設けられても良い。操作ボタン３８Ｂにより、電磁線出射部１０の動作などが切り替えられても良い。ランプ３８Ｌにより、電磁線出射部１０の状態（例えば通信状態などを含む）が表示されても良い。スピーカ３８Ｓから、表示装置１１０の表示に関連する音声などが発生しても良い。
【００４５】
図１（ｅ）に示すように、この例では、表示部２１０は、蓄光層２１１と、上側層２１２と、下側層２１３と、を含む。蓄光層２１１は、上側層２１２と下側層２１３との間に配置される。上側層２１２及び下側層２１３は、例えば保護層となる。
【００４６】
以下、実施形態に係る表示装置１１０が表示を行う際の、複数の出射部１１の動作の例について説明する。
【００４７】
図２（ａ）〜図２（ｃ）は、第１の実施形態に係る表示装置における動作を例示する模式図である。  
図２（ａ）に示すように、この例では、複数の出射部１１として、第１〜第８素子１１ａ〜１１ｈ（光出射素子）が設けられる。複数の出射部１１の数は、任意であり、例えば、１６でも良く、３２などでも良い。
【００４８】
この例では、１つの文字（第１文字Ｃ１）を、８×８のドットで表示する。例えば、第１〜第８素子１１ａ〜１１ｈのそれぞれを、１つの文字の縦の８つのドットのそれぞれに対応させる。第１文字Ｃ１は、「ａ」である。
【００４９】
以下、複数の出射部１１の動作の例について説明する。  
図２（ｂ）は、第１順方向動作ＯＰ１を例示している。このときの移動方向Ｄｒは、第２方向Ｄ２である。
【００５０】
図２（ｂ）に表したように、第１時刻ｔ１１において、第１〜第８素子１１ａ〜１１ｈをオフ状態とする。オフ状態では、電磁線１５が出射されない。または、オフ状態における電磁線１５の強度は、オン状態における電磁線１５の強度よりも低い。
【００５１】
第１時刻ｔ１１の後の第２時刻ｔ１２において、第２素子１１ｂ、第５素子１１ｅ及び第６素子１１ｆをオン状態にし、これら以外をオフ状態とする。第２時刻ｔ１２の後の第３時刻ｔ１３において、第１素子１１ａ、第４素子１１ｄ及び第７素子１１ｇをオン状態にし、これら以外をオフ状態とする。第２時刻ｔ１３の後の第４時刻ｔ１４において、第１素子１１ａ、第４素子１１ｄ及び第７素子１１ｇをオン状態にし、これら以外をオフ状態とする。第４時刻ｔ１４の後の第５時刻ｔ１５において、第１素子１１ａ、第３素子１１ｃ及び第６素子１１ｆをオン状態にし、これら以外をオフ状態とする。第５時刻ｔ１５の後の第６時刻ｔ１６において、第２〜第６素子１１ｂ〜１１ｆをオン状態にし、これら以外をオフ状態とする。第６時刻ｔ１６の後の第７時刻ｔ１７において、第７素子１１ｇをオン状態にし、それ以外をオフ状態とする。第７時刻ｔ１７の後の第８時刻ｔ１８において、第１〜第８素子１１ａ〜１１ｈをオフ状態とする。
【００５２】
上記の各時刻を含む各期間は、互いに連続的でも良い。例えば、第２時刻ｔ１２を含む期間は、第３時刻ｔ１３を含む期間と、連続的でも良い。このとき、例えば、第１素子１１ａ、第４素子１１ｄ及び第７素子１１ｇがオフ状態からオン状態に切り替わるのと同時に、第２素子１１ｂ、第５素子１１ｅ及び第６素子１１ｆがオン状態からオフ状態に切り替わる。各期間が互いに連続的であると、例えば、表示される文字が見易くなる。実施形態において、上記の各時刻を含む各期間が、不連続でも良い。
【００５３】
上記の動作（第１順方向動作ＯＰ１）により、例えば、第１〜第８時刻ｔ１１〜ｔ１８におけるそれぞれの電磁線１５のパターンがＸ軸方向に沿って出射される。この電磁線１５が蓄光層２１１に照射されると、蓄光層２１１におけるＸ−Ｙ平面内の上記それぞれの時刻における第１〜第８素子１１ａ〜１１ｈの位置に、照射された電磁線１５に応じた光が蓄光される。蓄光された光により、「ａ」の第１文字Ｃ１が表示される。
【００５４】
複数の出射部１１から出射する電磁線１５のパターンの時間的な変化を変更することで、所望の第１文字Ｃ１を表示できる。
【００５５】
図２（ｃ）は、第１逆方向動作ＯＲ１を例示している。このときの移動方向Ｄｒは、逆方向Ｒ２である図２（ｃ）に表したように、第１時刻ｔ２１において、第１〜第８素子１１ａ〜１１ｈをオフ状態である。第１時刻ｔ２１の後の第２時刻ｔ２２において、第７素子１１ｇをオン状態にし、それ以外をオフ状態とする。第２時刻ｔ２１の後の第３時刻ｔ２３において、第２〜第６素子１１ｂ〜１１ｆをオン状態にし、これら以外をオフ状態とする。第３時刻ｔ２３の後の第４時刻ｔ２４において、第１素子１１ａ、第３素子１１ｃ及び第６素子１１ｆをオン状態にし、これら以外をオフ状態とする。第４時刻ｔ２４の後の第５時刻ｔ２５において、第１素子１１ａ、第４素子１１ｄ及び第７素子１１ｇをオン状態にし、これら以外をオフ状態とする。第５時刻ｔ２５の後の第６時刻ｔ２６において、第１素子１１ａ、第４素子１１ｄ及び第７素子１１ｇをオン状態にし、これら以外をオフ状態とする。第６時刻ｔ２６の後の第７時刻ｔ２７において、第２素子１１ｂ、第５素子１１ｅ及び第６素子１１ｆをオン状態にし、これら以外をオフ状態とする。第７時刻ｔ２７の後の第８時刻ｔ２８において、第１〜第８素子１１ａ〜１１ｈをオフ状態とする。
【００５６】
上記の動作（第１逆方向動作ＯＲ１）により、例えば、第１〜第８時刻ｔ１１〜ｔ１８におけるそれぞれの電磁線１５のパターンがＸ軸方向に沿って出射される。この電磁線１５が蓄光層２１１に照射されると、蓄光層２１１におけるＸ−Ｙ平面内のそれぞれの時刻での第１〜第８素子１１ｈの位置に、照射された電磁線１５に応じた光が蓄光される。蓄光された光により、「ａ」の第１文字Ｃ１が表示される。第１逆方向動作ＯＲ１において表示される第１文字Ｃ１は、鏡文字ではなく、正常に読める文字である。
【００５７】
このように、この例では、第１逆方向動作ＯＲ１のときの発光の時間的順番が、第１順方向動作ＯＰ１のときの発光の時間的順番とは、反転される。すなわち、この例では、図１（ｃ）及び図２（ｂ）に示すように、第１順方向動作ＯＰ１において、第１文字Ｃ１（「ａ」）の上下方向ＣＲは、第１方向Ｄ１に沿っている。すなわち、複数の出射部１１が並ぶ方向が、第１文字Ｃ１の上下方向ＣＲに沿っている。第１順方向動作ＯＰ１において表示される第１文字Ｃ１は、「縦書き」である。そして、第１逆方向動作ＯＲ１において表示される第１文字Ｃ１も、「縦書き」である（図１（ｄ）及び図２（ｃ）参照）。このような場合には、図２（ｂ）及び図２（ｃ）に関して説明したように、電磁線出射部１０は、第１逆方向動作ＯＲ１のときの複数の出射部１１からの電磁線１５の出射の時間的順番を、第１順方向動作ＯＰ１のときの複数の出射部１１からの電磁線１５の出射の時間的順番と逆にする。これにより、第１逆方向動作ＯＲ１において、鏡文字ではなく、正しい第１文字Ｃ１が表示される。このような動作は、例えば、制御部２０により制御される。
【００５８】
例えば、図２（ａ）に示すように、１つの文字（「ａ」）が、Ｎ×Ｍのドットで表示される（Ｎ及びＭは、２以上の整数）。Ｎ×Ｍのドットに対応するデータが例えば、記憶部３３に格納される。例えば、第１順方向動作ＯＰ１においては、Ｎ×Ｍのドットに基づくデータに応じて、複数の出射部１１から電磁線１５が出射される。例えば、ラインメモリに一列ずつのデータが格納され、このデータに基づいて、複数の出射部１１から電磁線１５が出射する。一方、第１逆方向動作ＯＲ１のために、例えば、１つの文字を鏡反転したデータが記憶部３３に格納される。この鏡反転されたデータに基づいて複数の出射部１１から電磁線１５を出射させることで、第１逆方向動作ＯＲ１が実施される。鏡反転したデータを記憶部３３に格納するのではなく、Ｎ×Ｍのドットに対応するデータを取りだす順番を逆にすることで、第１逆方向動作ＯＲ１を実施しても良い。実施形態において、第１逆方向動作ＯＲ１のときの発光の時間的順番を、第１順方向動作ＯＰ１のときの発光の時間的順番と反転する方法は、任意である。
【００５９】
図３（ａ）及び図３（ｂ）は、参考例の表示装置による表示を例示する模式図である。  参考例の表示装置１１９においては、移動方向Ｄｒが反転したときに、発光の時間的順番を反転させない。図３（ａ）に示すように、参考例の表示装置１１９においては、電磁線出射部１０の移動方向Ｄｒが第２方向Ｄ２であるときに、第１文字Ｃ１を表示される。この例では、第１文字Ｃ１は、「ａ」であり、正しく読める。そして、図３（ｂ）に示すように、移動方向Ｄｒが逆方向Ｒ２のときに、電磁線１５により表示される第１文字Ｃ１（「ａ」）は、鏡反転しており、正しく読めない。参考例においては、学習効果が低い。鏡文字を覚えることに繋がり、学習のためには不適切である。
【００６０】
以下、実施形態に係る表示装置１１０の動作のいくつかの例について、説明する。  
図４（ａ）及び図４（ｂ）は、第１の実施形態に係る表示装置における別の動作を例示する模式図である。  
これらの図は、表示装置１１０により表示される像の例を示している。例えば、複数の出射部１１からの電磁線１５が、蓄光層２１１を含む表示部２１０に照射され、表示部２１０に、この像が形成される。図４（ａ）は、第１順方向動作ＯＰ１に対応し、図４（ｂ）は、第１逆方向動作ＯＲ１に対応する。
【００６１】
図４（ａ）に示すように、第１順方向動作ＯＰ１において、第１文字Ｃ１の上下方向ＣＲは、第１方向Ｄ１と交差している。すなわち、この例では、第１文字Ｃ１（「ａ」）が、「横書き」に表示されている。これは、データ（例えばビットマップデータ）の読み出し位置及び読み出し方向を、例えば図２（ａ）に関して説明した構成から変更することで実現可能である。または、データ（例えばビットマップデータ）を右に２７０度回転させ、読み出し方向を、例えば図２（ｂ）に関して説明した処理とすることで実現可能である。以降では、これら読み出し位置及び読み出し方向の変更、並びに、データ（例えばビットマップデータ）の回転を、共に、回転処理と呼ぶ。回転処理は、電磁線出射部１０の制御部２０または外部機器４０により実行可能である。
【００６２】
図４（ｂ）に示すように、第１逆方向動作ＯＲ１においても、第１文字Ｃ１の上下方向ＣＲは、第１方向Ｄ１と交差している。すなわち、第１逆方向動作ＯＲ１においても、第１文字Ｃ１（「ａ」）は、「横書き」に表示されている。第１逆方向動作ＯＲ１における第１文字Ｃ１は、鏡文字ではなく、正しく読める。第１逆方向動作ＯＲ１における第１文字Ｃ１は、第１順方向動作ＯＰ１における第１文字Ｃ１に対して、同じ向きである。これは、回転処理で実現可能である。この場合、図２（ａ）のデータを右に２７０度回転させることになる。
【００６３】
図２（ａ）及び図２（ｂ）と同様に、例えば、電磁線出射部１０は、第１逆方向動作ＯＲ１のときの複数の出射部１１からの電磁線１５の出射の時間的順番を、第１順方向動作ＯＰ１のときの複数の出射部１１からの電磁線１５の出射の時間的順番とは、逆にする。これにより、第１逆方向動作ＯＲ１における第１文字Ｃ１は、第１順方向動作ＯＰ１と同じ文字を表示できる。
【００６４】
図５（ａ）及び図５（ｂ）は、第１の実施形態に係る表示装置における別の動作を例示する模式図である。  
これらの図は、表示装置１１０により表示される像（例えば、表示部２１０に形成される像）を示している。図５（ａ）は、第１順方向動作ＯＰ１に対応し、図５（ｂ）は、第１逆方向動作ＯＲ１に対応する。
【００６５】
図５（ａ）に示すように、第１順方向動作ＯＰ１において、第１文字Ｃ１の上下方向ＣＲは、第１方向Ｄ１と交差している（「横書き」）。これは、回転処理で実現可能である。この場合、図２（ａ）のデータを右に２７０度回転させることになる。
【００６６】
このとき、図５（ｂ）に示すように、第１逆方向動作ＯＲ１においても、第１文字Ｃ１の上下方向ＣＲは、第１方向Ｄ１と交差している（「横書き」）。第１逆方向動作ＯＲ１における第１文字Ｃ１は、鏡文字ではなく、正しく読める。第１逆方向動作ＯＲ１における第１文字Ｃ１は、第１順方向動作ＯＰ１における第１文字Ｃ１に対して、１８０度回転している。
【００６７】
このような場合には、移動方向Ｄｒが反転したときに、発光の位置的順番（空間的順番）を反転させる。これにより、正しい文字が表示される。以下、位置的順番（空間的順番）を逆にする例について、説明する。
【００６８】
図６（ａ）〜図６（ｃ）は、第１の実施形態に係る表示装置の別の動作を例示する模式図である。  
図６（ａ）に表したように、この例では、複数の出射部１１として、第１〜第８素子１１ａ〜１１ｈが設けられる。この例では、第１文字Ｃ１（「ａ」）を、８×８のドットで表示する。８×８のドットは、縦の８つのドットのそれぞれに対応させる。図６（ａ）に示すように、第１文字Ｃ１の上下方向ＣＲは、第１方向Ｄ１と交差している（「横書き」）。
【００６９】
図６（ｂ）及び図６（ｃ）は、それぞれ、第１順方向動作ＯＰ１及び第１逆方向動作ＯＲ１に対応する。例えば、図６（ｂ）に示す第１順方向動作ＯＰ１における第２時刻ｔ２２において、第３素子１１ｃ及び第７素子１１ｇがオン状態であり、その他がオフ状態である。一方、図６（ｃ）に示す第１逆方向動作ＯＲ１における第２時刻ｔ２２において、第２素子１１ｂ及び第６素子１１ｆがオン状態であり、その他がオフ状態である。このように、第１逆方向動作ＯＲ１における複数の出射部１１の発光のタイミングの位置的順番が、第１順方向動作ＯＰ１における複数の出射部１１の発光のタイミングの位置的順番と、入れ替えられる。
【００７０】
このような位置的順番の変更は、例えば、記憶部３３に格納するデータの変更により実施できる。または、記憶部３３に格納するデータを位置的に反転させて取り出すことにより、位置的順番の変更が実施できる。さらに、図２（ａ）と同じ配列で保存されているデータを、ドット読み出し開始位置および読み出し方向を変更することでも実施できる。
【００７１】
このように、この例では、電磁線出射部１０は、第１逆方向動作ＯＲ１のときの複数の出射部１１からの電磁線１５の出射における第１方向Ｄ１に沿う位置的順番（空間的順番）を、第１順方向動作ＯＰ１のときの複数の出射部１１からの電磁線１５の出射における第１方向Ｄ１に沿う位置的順番（空間的順番）と逆にする。これにより、第１逆方向動作ＯＲ１における第１文字Ｃ１は、鏡文字ではなく、正しく読めるように表示される。
【００７２】
図７（ａ）及び図７（ｂ）は、参考例の表示装置による表示を例示する模式図である。  参考例の表示装置１１９においては、第１文字Ｃ１の上下方向ＣＲが第１方向Ｄ１と交差している（「横書き」）。このときに、移動方向Ｄｒが反転したときに、発光の時間的順番を反転させていない。図７（ａ）に示すように、電磁線出射部１０の移動方向Ｄｒが第２方向Ｄ２であるときに、第１文字Ｃ１を表示される。図７（ｂ）に示すように、移動方向Ｄｒが逆方向Ｒ２のときに、電磁線１５により表示される第１文字Ｃ１（「ａ」）は、鏡反転しており、正しく読めない。
【００７３】
上記の図４（ａ）、図４（ｂ）、図５（ａ）及び図５（ｂ）に関して説明したように、実施形態においては、移動方向Ｄｒが反転したときに、発光の時間的順番の反転、及び、位置的順番（空間的順番）の反転のいずれかを実施する。これにより、移動方向Ｄｒが反転したときに、鏡文字ではなく、正しく読める文字が表示できる。
【００７４】
図８（ａ）及び図８（ｂ）は、第１の実施形態に係る表示装置における別の動作を例示する模式図である。  
これらの図は、表示装置１１０により表示される像（例えば、表示部２１０に形成される像）を示している。図８（ａ）及び図８（ｂ）は、第１順方向動作ＯＰ１及び第１逆方向動作ＯＲ１にそれぞれ対応する。
【００７５】
図８（ａ）に示すように、第１順方向動作ＯＰ１において、第１文字Ｃ１の上下方向ＣＲは、第１方向Ｄ１に沿っている（「縦書き」）。これは、回転処理で実現可能である。この場合、図２（ａ）のデータを右に２７０度回転させることになる。
【００７６】
このとき、図８（ｂ）に示すように、第１逆方向動作ＯＲ１において、第１文字Ｃ１の上下方向ＣＲが第１方向Ｄ１と交差している（「横書き」）。第１逆方向動作ＯＲ１における第１文字Ｃ１は、鏡文字ではなく、正しく読める。この例では、第１文字Ｃ１は、「右向き」の「横書き」である。
【００７７】
図９（ａ）及び図９（ｂ）は、第１の実施形態に係る表示装置における別の動作を例示する模式図である。  
これらの図は、表示装置１１０により表示される像（例えば、表示部２１０に形成される像）を示している。図９（ａ）及び図９（ｂ）は、第１順方向動作ＯＰ１及び第１逆方向動作ＯＲ１にそれぞれ対応する。
【００７８】
図９（ａ）に示すように、第１順方向動作ＯＰ１において、第１文字Ｃ１は、「縦書き」で表示される。これは、回転処理で実現可能である。この場合、図２（ａ）のデータを右に０度回転させることになる。図９（ｂ）に示すように、第１逆方向動作ＯＲ１において、第１文字Ｃ１は、「左向き」の「横書き」である。これは、回転処理で実現可能である。この場合、図２（ａ）のデータを右に２７０度回転させることになる。
【００７９】
図１０（ａ）及び図１０（ｂ）は、第１の実施形態に係る表示装置における別の動作を例示する模式図である。  
これらの図は、表示装置１１０により表示される像（例えば、表示部２１０に形成される像）を示している。図１０（ａ）及び図１０（ｂ）は、第１順方向動作ＯＰ１及び第１逆方向動作ＯＲ１にそれぞれ対応する。
【００８０】
図１０（ａ）に示すように、第１順方向動作ＯＰ１において、第１文字Ｃ１は、「縦書き」で表示される。これは、回転処理で実現可能である。この場合、図２（ａ）のデータを右に０度回転させることになる。図１０（ｂ）に示すように、第１逆方向動作ＯＲ１において、第１文字Ｃ１は、上下が反転した「縦書き」である。これは、回転処理で実現可能である。この場合、図２（ａ）のデータを右に１８０度回転させることになる。
【００８１】
図８（ａ）〜図１０（ｂ）に示す例のように、実施形態において、移動方向Ｄｒが反転したときに、「縦書き」から「横書き」に表示方向が変化しても良い。移動方向Ｄｒが反転したときに、「横書き」から「縦書き」に表示方向が変化しても良い。さらに、移動方向Ｄｒが反転したときに、「縦書き」から、上下が反転した「縦書き」に表示方向が変化しても良い。その逆の方向の変化が行われても良い。このような方向の変化は、記憶部３３に格納するデータの変更、または、データの取り出し方の変更により実施できる。実施形態において、文字の表示方向は、種々の変形が可能である。
【００８２】
例えば、データは、１つ以上の文字データであり、第１順方向動作ＯＰ１が実行されるとき、第１の角度で回転された前記文字データの各々を表示させても良い。そして、前記第１逆方向動作が実行されるとき、第２の角度で回転された前記文字データの各々を表示させても良い。
【００８３】
以下、複数の文字を表示する場合の例について説明する。図１１（ａ）〜図１６（ｂ）は、表示装置１１０により表示される像（例えば、表示部２１０に形成される像）を示している。移動方向Ｄｒは、これらの図に示す通りである。  
図１１（ａ）及び図１１（ｂ）は、第１の実施形態に係る表示装置における別の動作を例示する模式図である。  
これらの図に示す例においては、上記の第１順方向動作ＯＰ１及び第１逆方向動作ＯＲ１に加えて、第２順方向動作ＯＰ２及び第２逆方向動作ＯＲ２がさらに実施される。上記のように、第１順方向動作ＯＰ１及び第１逆方向動作ＯＲ１は、１つの文字Ｃ１を表示する動作に対応する。第２順方向動作ＯＰ２及び第２逆方向動作ＯＲ２は、別の１つの文字（第２文字Ｃ２）をさらに表示する動作に対応する。複数の文字（例えば第１文字Ｃ１及び第２文字Ｃ２など）において、上記の回転処理を行うことで、「縦書き」または「横書き」などの文字の方向が任意に制御できる。
【００８４】
図１１（ａ）に示すように、複数の文字（この例では、第１文字Ｃ１、第２文字Ｃ２及第３文字Ｃ３）が表示される。複数の文字の数は、任意である。この例では、第１文字Ｃ１は「ａ」であり、第２文字Ｃ２は「ｂ」であり、第３文字Ｃ３は「ｃ」である。移動方向Ｄｒが第２方向Ｄ２であるときに、第１文字Ｃ１が表示された後に、第２文字Ｃ２が表示され、その後に、第３文字Ｃ３が表示される。例えば、第２方向Ｄ２が左から右の方向であるとき、第１文字Ｃ１の右に第２文字Ｃ２が表示され、第２文字Ｃ２の右に第３文字Ｃ３が表示される。これらの複数の文字の表示においては、複数の文字のそれぞれが、例えば、図２（ｂ）に関して説明した方法などにより表示される。図１１（ａ）に示すように、これらの文字は、正しく読める。
【００８５】
図１１（ｂ）に示すように、移動方向Ｄｒが逆方向Ｒ２であるときに、第１文字Ｃ１が表示された後に、第２文字Ｃ２が表示され、その後に、第３文字Ｃ３が表示される。例えば、逆方向Ｒ２が右から左の方向であるとき、第１文字Ｃ１の左に第２文字Ｃ２が表示され、第２文字Ｃ２の左に第３文字Ｃ３が表示される。これらの複数の文字の表示においては、複数の文字のそれぞれが、例えば、図２（ｃ）に関して説明した方法などにより表示される。そして、複数の文字の表示の時間的順番は、移動方向Ｄｒが反転したときに変更しない。
【００８６】
例えば、移動方向Ｄｒが第２方向Ｄ２のときに、第１文字Ｃ１が表示された後に、第２文字Ｃ２が表示される。そして、移動方向Ｄｒが逆方向Ｒ２のときにも、第１文字Ｃ１が表示された後に、第２文字Ｃ２が表示される。
【００８７】
このように、この例では、電磁線出射部１０は、第１順方向動作ＯＰ１及び第１逆方向動作ＯＲ１に加えて、第２順方向動作ＯＰ２及び第２逆方向動作ＯＲ２をさらに実施する。この例では、移動方向Ｄｒが第２方向Ｄ２であるときに、第１順方向動作ＯＰ１の後（第１文字Ｃ１の表示の後）に第２順方向動作ＯＰ２が実施される。この第２順方向動作ＯＰ２において、電磁線出射部１０は、複数の出射部１１から出射した電磁線１５により第２文字Ｃ２を表示する。そして、移動方向Ｄｒが逆方向Ｒ２のときに、第１逆方向動作ＯＲ１の後（第１文字Ｃ１の表示の後）に第２逆方向動作ＯＲ２が実施される。この第２逆方向動作ＯＲ２において、電磁線出射部１０は、電磁線１５により第２文字Ｃ２を表示する。この第２逆方向動作ＯＲ２において表示される第２文字Ｃ２は、鏡文字ではなく、正しく読める。
【００８８】
このように、この例では、「ａｂｃ」の表示が、移動方向Ｄｒが反転されると「ｃｂａ」と表示される。移動方向Ｄｒが逆方向Ｒ２である場合に、移動方向Ｄｒが第２方向Ｄ２である場合に表示される複数の文字の時間的順番と同じ順番で、複数の文字が表示される。この状態は、その言葉を耳で知覚するときの状態と同じである。この例においては、例えば、言葉（文字列）を、耳からの刺激とともに、効果的に学習できる。
【００８９】
図１２（ａ）及び図１２（ｂ）は、第１の実施形態に係る表示装置における別の動作を例示する模式図である。  
図１２（ａ）に示すように、移動方向Ｄｒが第２方向Ｄ２であるときに、第１文字Ｃ１が表示された後に、第２文字Ｃ２が表示され、その後に、第３文字Ｃ３が表示される。図１２（ｂ）に示すように、移動方向Ｄｒが逆方向Ｒ２であるときに、第１文字Ｃ１が表示された後に、第２文字Ｃ２が表示され、その後に、第３文字Ｃ３が表示される。この例では、複数の文字のそれぞれの上下方向が反転されている。
【００９０】
図１３（ａ）及び図１３（ｂ）は、第１の実施形態に係る表示装置における別の動作を例示する模式図である。  
図１３（ａ）に示すように、移動方向Ｄｒが第２方向Ｄ２であるときに、第１文字Ｃ１が表示された後に、第２文字Ｃ２が表示され、その後に、第３文字Ｃ３が表示される。文字は、「横書き」である。図１３（ｂ）に示すように、移動方向Ｄｒが逆方向Ｒ２であるときに、第１文字Ｃ１が表示された後に、第２文字Ｃ２が表示され、その後に、第３文字Ｃ３が表示される。文字は、「横書き」である。
【００９１】
図１２（ａ）〜図１３（ｂ）に示す例においては、移動方向Ｄｒが逆方向Ｒ２である場合に、移動方向Ｄｒが第２方向Ｄ２である場合に表示される複数の文字の時間的順番と同じ時間的順番で、複数の文字が表示される。例えば、言葉（文字列）を、耳からの刺激とともに効果的に学習できる。
【００９２】
図１４（ａ）及び図１４（ｂ）は、第１の実施形態に係る表示装置における別の動作を例示する模式図である。  
図１４（ａ）において、移動方向Ｄｒは第２方向Ｄ２であり、図１４（ｂ）において、移動方向Ｄｒは、逆方向Ｒ２である。
【００９３】
図１４（ａ）に示すように、移動方向Ｄｒが第２方向Ｄ２であるときに、「ａｂｃ」が表示される。第１文字Ｃ１が表示された後に、第２文字Ｃ２が表示され、その後に、第３文字Ｃ３が表示される。例えば、第２方向Ｄ２が左から右の方向であるとき、第１文字Ｃ１の右に第２文字Ｃ２が表示され、第２文字Ｃ２の右に第３文字Ｃ３が表示される。これらの文字は、正しく読める。
【００９４】
図１４（ｂ）に示すように、移動方向Ｄｒが逆方向Ｒ２であるときに、「ａｂｃ」が表示される。第３文字Ｃ３が表示された後に、第２文字Ｃ２が表示され、その後に、第１文字Ｃ１が表示される。例えば、逆方向Ｒ２が右から左の方向であるとき、第１文字Ｃ１の右に第２文字Ｃ２が表示され、第２文字Ｃ２の右に第３文字Ｃ３が表示される。
【００９５】
すなわち、電磁線出射部１０は、第１順方向動作ＯＰ１及び第１逆方向動作ＯＲ１に加えて、第２順方向動作ＯＰ２及び第２逆方向動作ＯＲ２をさらに実施する。この例では、移動方向Ｄｒが第２方向Ｄ２であるときに、第１順方向動作ＯＰ１の後（第１文字Ｃ１の表示の後）に第２順方向動作ＯＰ２が実施される。第２順方向動作ＯＰ２において、電磁線出射部１０は、複数の出射部１１から出射した電磁線１５により第２文字Ｃ１を表示する。そして、移動方向Ｄｒが逆方向Ｒ２のときに、第１逆方向動作ＯＲ１の前（第１文字Ｃ１の表示の前）に、第２逆方向動作ＯＲ２が実施される。第２逆方向動作ＯＲ２において、電磁線出射部１０は、電磁線１５により、第２文字Ｃ２を表示する。第２文字Ｃ２は、鏡文字ではなく、正しく読める。
【００９６】
この例においては、移動方向Ｄｒが反転したときに、「ａｂｃ」の文字列の空間的配置が維持されて、「ａｂｃ」が表示される。例えば、複数の文字を含む言葉が表示されているときに、複数の文字の順番により、その言葉が理解される。複数の文字が１つのグループとして視覚的に認識される。複数の文字を１つのグループとして認識することにより、言葉を効果的に覚えることができる。
【００９７】
図１５（ａ）及び図１５（ｂ）は、第１の実施形態に係る表示装置における別の動作を例示する模式図である。  
図１５（ａ）に示すように、移動方向Ｄｒが第２方向Ｄ２であるときに、「ａｂｃ］が「縦書き」の文字で表示される。図１５（ｂ）に示すように、移動方向Ｄｒが逆方向Ｒ２であるときに、「ａｂｃ」は、「横書き」の文字で表示される。図１５（ｂ）において、第３文字Ｃ３が表示された後に、第２文字Ｃ２が表示され、その後に、第１文字Ｃ１が表示される。このように、この例においても、移動方向Ｄｒが第２方向Ｄ２であるときに、第１順方向動作ＯＰ１の後（第１文字Ｃ１の表示の後）に第２順方向動作ＯＰ２（第２文字Ｃ２の表示）が実施される。そして、移動方向Ｄｒが逆方向Ｒ２のときに、第１逆方向動作ＯＲ１の前（第１文字Ｃ１の表示の前）に、第２逆方向動作ＯＲ２（第２文字Ｃ２の表示）が実施される。
【００９８】
図１６（ａ）及び図１６（ｂ）は、第１の実施形態に係る表示装置における別の動作を例示する模式図である。  
図１６（ａ）に示すように、複数の出射部１１の並ぶ第１方向Ｄ１は、Ｙ軸方向に沿っており、移動方向Ｄｒは第２方向Ｄ２である。第２方向Ｄ２は、Ｘ軸方向に沿っている。このとき、第１文字Ｃ１が表示された後に、第２文字Ｃ２が表示され、その後に、第３文字Ｃ３が表示される。文字は、「縦書き」である。
【００９９】
一方、図１６（ｂ）において、電磁線出射部１０の方向が変更され、複数の出射部１１の並ぶ第１方向Ｄ１は、Ｘ軸方向に沿っている。そして、移動方向Ｄｒが逆方向Ｒ２である。既に説明したように、第２方向Ｄ２及び逆方向Ｒ２は、複数の出射部１１を基準にした方向である。このとき、第３文字Ｃ３が表示された後に、第２文字Ｃ２が表示され、その後に、第１文字Ｃ１が表示される。文字は、「横書き」である。この例においても、移動方向Ｄｒが第２方向Ｄ２であるときに、第１順方向動作ＯＰ１の後（第１文字Ｃ１の表示の後）に第２順方向動作ＯＰ２（第２文字Ｃ２の表示）が実施される。そして、移動方向Ｄｒが逆方向Ｒ２のときに、第１逆方向動作ＯＲ１の前（第１文字Ｃ１の表示の前）に、第２逆方向動作ＯＲ２（第２文字Ｃ２の表示）が実施される。
【０１００】
図１５（ａ）〜図１６（ｂ）に示す例においては、移動方向Ｄｒが逆方向Ｒ２である場合に、移動方向Ｄｒが第２方向Ｄ２である場合に表示される複数の文字の空間的順番と同じ空間的順番で、複数の文字が表示される。例えば、複数の文字を１つのグループとして認識することにより、言葉を効果的に覚えることができる。
【０１０１】
（第２の実施形態）  
本実施形態においては、電磁線出射部１０の移動方向Ｄｒが反転すると、反転前に表示された言葉（複数の文字）と関係する、別の言葉が表示される。本実施形態に係る表示装置１１０の構成は、図１（ａ）〜図１（ｅ）などに関して説明した構成と同様である。電磁線出射部１０は、以下に説明する第１順方向動作及び第１逆方向動作を実施する。
【０１０２】
以下に説明する図１７（ａ）〜図２１（ｂ）は、表示装置１１０により表示される像（例えば、表示部２１０に形成される像）を示している。移動方向Ｄｒは、これらの図に示す通りである。
【０１０３】
図１７（ａ）及び図１７（ｂ）は、第２の実施形態に係る表示装置における動作を例示する模式図である。  
図１７（ａ）及び図１７（ｂ）は、第１順方向動作ＱＰ１及び第１逆方向動作ＱＲ１にそれぞれ対応する。
【０１０４】
図１７（ａ）に示すように、電磁線出射部１０の移動方向Ｄｒが第１方向Ｄ１と交差する第２方向Ｄ２であるときに、第１順方向動作ＱＰ１が実施される。第１順方向動作ＱＰ１において、電磁線出射部１０は、複数の出射部１１から出射した電磁線１５（図１（ｅ）参照）により第１文字列ＣＳ１を表示する。
【０１０５】
図１７（ｂ）に示すように、移動方向Ｄｒが第２方向Ｄ２とは逆の逆方向Ｒ２のときに第１逆方向動作ＱＲ１が実施される。第１逆方向動作ＱＲ１において、電磁線出射部１０は、複数の出射部１１から出射した電磁線１５により、第１文字列ＣＳ１に対応する第２文字列ＣＳ２を表示する。本実施形態では、例えば、第１文字列ＣＳ１及び第２文字列ＣＳ２は、それぞれ１つのデータ（例えばビットマップデータ）でもよい。または、第１文字列ＣＳ１及び第２文字列ＣＳ２に含まれる複数の文字のそれぞれが、１つのデータ（例えばビットマップデータ）でも良い。例えば、文字列に含まれる複数の文字のそれぞれの表示（電磁線１５の出射）において、第１の実施形態に関して説明した動作が実施されても良い。
【０１０６】
この例では、第１文字列ＣＳ１は、「ｐｉｇ」である。第１文字列ＣＳ１は、所定の意味を有する。この例では、第２文字列ＣＳ２は、「ｃｏｃｈｏｎ」である。第２文字列ＣＳ２は、第１文字列ＣＳ１と関連する意味を有する。
【０１０７】
例えば、第１文字列ＣＳ１は、第１言語であり、第２文字列ＣＳ２は、第１言語とは異なる第２言語である。例えば、第２文字列ＣＳ２の意味は、第１文字列ＣＳ１の意味に対応する。例えば、第１文字列ＣＳ１の意味が英語において「ブタ」であるときに、第２文字列ＣＳ２の意味がフランス語において「ブタ」である。このとき、例えば、第２文字列ＣＳ２の意味が日本語において「ブタ」でも良い。このとき、例えば、第２文字列ＣＳ２の意味が中国語において「ブタ」でも良い。
【０１０８】
この例では、言語において自然な文字の配列方向が存在する。図１７（ａ）の例では、左から右に向けて、第１文字Ｃ１、第２文字Ｃ２及び第３文字Ｃ３が並ぶ。この文字の配列方向は、その言語（英語）において、自然な配列である。一方、図１７（ｂ）に示す第２文字列ＣＳ２において、「ｃｏｃｈｏｎ」の文字が、左から右に向けて、配列している。第２文字列ＣＳ２において、この配列方向が自然なときに、このような配列方向が採用される。例えば、複数の文字を含む文字列を１つのグループとして表示することで、その文字列の認識が容易となる。
【０１０９】
図１８（ａ）及び図１８（ｂ）は、第２の実施形態に係る表示装置における別の動作を例示する模式図である。  
図１８（ａ）及び図１８（ｂ）は、第１順方向動作ＱＰ１及び第１逆方向動作ＱＲ１にそれぞれ対応する。
【０１１０】
図１８（ａ）に示すように、第１順方向動作ＱＰ１において、「ｐｉｇ」の第１文字列ＣＳ１が表示される。図１８（ｂ）に示すように、第１逆方向動作ＱＲ１において、「ｃｏｃｈｏｎ」の第２文字列ＣＳ２が表示される。この第２文字列ＣＳ２は、図１８（ｂ）に示した例に対して上下が反転している。この例の第２文字列ＣＳ２は、第２文字列ＣＳ２の発音の順に表示される。すなわち、「ｃｏｃｈｏｎ」に含まれる複数の文字の表示の時間的順番は、「ｃｏｃｈｏｎ」の順である。すなわち、「ｃｏｃｈｏｎ」の発音の順に、「ｃｏｃｈｏｎ」が表示される。これにより、第２文字列ＣＳ２の言葉を聞いたときの知覚に類似して、第２文字列ＣＳ２が目により知覚される。これにより、第２文字列ＣＳ２を学習し易くなる。例えば、幼い子供において、聴覚を介して言葉を覚えることが効果的である。この例の表示は、例えば、このような幼い子供の学習の効果を向上できる。
【０１１１】
上記の例においては、第１文字列ＣＳ１及び第２文字列ＣＳ２のそれぞれに含まれる複数の文字は、「縦書き」である。以下、複数の文字が「横書き」の１つの例について説明する。
【０１１２】
図１９（ａ）及び図１９（ｂ）は、第２の実施形態に係る表示装置における別の動作を例示する模式図である。  
図１９（ａ）及び図１９（ｂ）は、第１順方向動作ＱＰ１及び第１逆方向動作ＱＲ１にそれぞれ対応する。
【０１１３】
図１９（ａ）に示すように、第１順方向動作ＱＰ１において第１文字列ＣＳ１が表示されている。第１文字列ＣＳ１は、「ｐｉｇ」であり、第１文字列ＣＳ１に含まれる複数の文字は、「縦書き」である。
【０１１４】
図１９（ｂ）に示すように、第１逆方向動作ＱＲ１において第２文字列ＣＳ２が表示される。第２文字列ＣＳ２は、「ｃｏｃｈｏｎ」である。第２言語における第２文字列ＣＳ２の意味は、第１言語における第１文字列ＣＳ１の意味と対応する。この例では、第２文字列ＣＳ２に含まれる複数の文字は、「横書き」である。例えば、「ｃｏｃｈｏｎ」に含まれる複数の文字の表示の時間的順番は、「ｃｏｃｈｏｎ」の順である。すなわち、「ｃｏｃｈｏｎ」の発音の順に、「ｃｏｃｈｏｎ」が表示される。これにより、第２文字列ＣＳ２の言葉を聞いたときの知覚に類似して、第２文字列ＣＳ２が目により知覚される。第２文字列ＣＳ２を学習し易くなる。例えば、幼い子供の学習の効果を向上できる。
【０１１５】
図２０（ａ）及び図２０（ｂ）は、第２の実施形態に係る表示装置における別の動作を例示する模式図である。  
図２０（ａ）及び図２０（ｂ）は、第１順方向動作ＱＰ１及び第１逆方向動作ＱＲ１にそれぞれ対応する。
【０１１６】
図２０（ａ）に示すように、第１順方向動作ＱＰ１において第１文字列ＣＳ１が表示されている。第１文字列ＣＳ１は、「ｂａｄ」である。
【０１１７】
図２０（ｂ）に示すように、第１逆方向動作ＱＲ１において第２文字列ＣＳ２が表示される。第２文字列ＣＳ２は、「ｇｏｏｄ」である。英語において、第２文字列ＣＳ２の「ｇｏｏｄ」は、第１文字列ＣＳ１の「ｂａｄ」の意味と反対である。このように、この例においては、第２文字列ＣＳ２の意味は、第１文字列ＣＳ１の意味と反対である。
【０１１８】
このように、移動方向が反転したときに、反対の意味の言葉が表示される。移動方向の反転とともに、意味が反転することで、言葉の学習が効果的に行われる。
【０１１９】
図２１（ａ）及び図２１（ｂ）は、第２の実施形態に係る表示装置における別の動作を例示する模式図である。  
図２１（ａ）及び図２１（ｂ）は、第１順方向動作ＱＰ１及び第１逆方向動作ＱＲ１にそれぞれ対応する。
【０１２０】
図２１（ａ）に示すように、第１順方向動作ＱＰ１において第１文字列ＣＳ１が表示されている。第１文字列ＣＳ１は、「ａｎｉｍａｌ」である。
【０１２１】
図２１（ｂ）に示すように、第１逆方向動作ＱＲ１において第２文字列ＣＳ２が表示される。第２文字列ＣＳ２は、「ｆｏｘ」である。英語において、第２文字列ＣＳ２の「ｆｏｘ」は、第１文字列ＣＳ１の「ａｎｉｍａｌ」のに含まれる概念の１つである。このように、この例においては、第１文字列ＣＳ１は、複数の言葉の集合体を意味している。このとき、第２文字列ＣＳ２は、その集合体に含まれる複数の言葉の１つである。本実施形態において、第１順方向動作ＱＰ１と第１逆方向動作ＱＲ１とは、互いに入れ替えても良い。この場合、第１文字列ＣＳ１と第２文字列ＣＳ２とは、互いに入れ替えられる。
【０１２２】
このように、本実施形態においては、第１逆方向動作ＱＲ１において、電磁線出射部１０の複数の出射部１１から出射した電磁線１５により表示される第２文字Ｃ２として、第１順方向動作ＱＰ１において表示される第１文字列ＣＳ１に対応する任意の文字列が適用できる。
【０１２３】
第２の実施形態において表示される第１文字列ＣＳ１及び第２文字列ＣＳ２は、鏡反転の文字ではない。例えば、第２文字列ＣＳ２に含まれる複数の文字のそれぞれにおいて、例えば、図２（ａ）〜図２（ｃ）に関して説明した動作を行うことで、鏡文字ではない、正しく読める文字が表示できる。
【０１２４】
第２の実施形態においても、蓄光層２１１を含む表示部２１０が設けられる。そして、電磁線出射部１０の移動方向Ｄｒは、表示部２１０の表面２１０ａに沿う方向である（図１（ｅ）参照）。そして、第１順方向動作ＱＰ１（移動方向Ｄｒが第２方向Ｄ２）のときに、電磁線１５により蓄光層２１１に第１文字列ＣＳ１が表示される。第１逆方向動作ＱＲ１において、電磁線１５により蓄光層２１１に第２文字列ＣＳ２が表示される。
【０１２５】
第２の実施形態においても、電磁線出射部１０に、複数の出射部１１と表示部２１０との間の距離を検出する距離検出部３６が設けられても良い。そして、例えば、制御部２０は、距離検出部３６で検出された距離ｄ１１（図１（ｅ）参照）が閾値よりも短い第１状態において複数の出射部１１から電磁線１５を出射させても良い。そして、制御部２０は、距離検出部３６で検出された距離ｄ１１が閾値以上の第２状態において、複数の出射部１１から電磁線１５を出射させない。または、制御部２０は、記第２状態における電磁線１５の強度を第１状態における電磁線１５の強度よりも低くする。これにより、例えば、より安全な表示が可能になる。
【０１２６】
以下、上記の第１及び第２の実施形態に用いられる電磁線出射部１０の構成の例について説明する。  
図２２（ａ）及び図２２（ｂ）は、実施形態に係る表示装置を例示する模式図である。  図２２（ａ）は、模式的斜視図である。図２２（ｂ）は、ブロック図である。  
図２２（ａ）及び図２２（ｂ）に示すように、表示装置１１０において、電磁線出射部１０は、例えば、出射部（複数の出射部１１）、バッテリ３１、通信部３２、記憶部３３、制御部２０、距離検出部３６、及び、方向検出部３７を含む。
【０１２７】
例えば、上記の第１の実施形態において、制御部２０は、方向検出部３７により検出された移動方向Ｄｒに基づいて、複数の出射部１１の第１順方向動作ＯＰ１及び第１逆方向動作ＯＲ１などを制御する。上記の第２の実施形態において、制御部２０は、方向検出部３７により検出された移動方向Ｄｒに基づいて、複数の出射部１１の第１順方向動作ＱＰ１及び第１逆方向動作ＱＲ１を制御する。
【０１２８】
この移動方向Ｄｒは、例えば、電磁線出射部１０が動き出したときの方向としても良い。移動方向Ｄｒは、例えば、電磁線出射部１０の動きの方向が変化したときの方向としても良い。移動方向Ｄｒは、連続的に変化しても良い。移動方向Ｄｒは、例えば、ジグザグに変化しても良い。移動方向Ｄｒは、例えば、回転しても良い。
【０１２９】
実施形態において、操作ボタン３８Ｂにより、例えば、表示する文字が変更されても良い。電磁線出射部１０に電源スイッチが設けられても良い。
【０１３０】
例えば、記憶部３３には、例えば、データを表示するためのいくつかのデータやパラメータ・フラグ等が、順／逆方向動作モードと共に保持されても良い。例えば、図１２（ａ）及び図１２（ｂ）の例において、順方向動が行われる場合には、「ａ」「ｂ」及び「ｃ」のデータを、それぞれ右に０度回転させ、電磁線出射部１０は、「ａ」「ｂ」「ｃ」の順に出力する。逆方向動作が行われる場合には、「ａ」「ｂ」及び「ｃ」のデータを、それぞれ右に１８０度回転させ、電磁線出射部１０は、「ａ」「ｂ」「ｃ」の順に出力する。図１８（ａ）及び図１８（ｂ）の例において、第１順方向動作ＱＰ１が行われる場合には、「ｐｉｇ」のビットマップデータを右に０度回転させて表示させる。第１逆方向動作ＱＲ１が行われる場合には、「ｃｏｃｈｏｎ」のビットマップデータを右に１８０度回転させて表示させる。「ｐｉｇ」と「ｃｏｃｈｏｎ」とは、互いに対応するデータとして、フラグが設定されている。例えば、順／逆方向動作モードについて、１つのデータまたはデータ群と、データの回転角度パラメータと、複数のデータの間の対応に関するフラグと、が、存在することになる。データ群として例えば「ａｂｃ」が保持されている場合、「ａ」から出力するか、「ｃ」から出力するかを指示するパラメータを順／逆方向動作モードと共に保持してもよい。
【０１３１】
これらデータ及びパラメータの設定は、ユーザによって様々に変更することが可能である。例えば、図１６（ａ）及び図１６（ｂ）の例において、右に電磁線出射部１０を移動させる場合には、文字列全体としての「英語」を左始まりの横書きとなるようパラメータを設定可能である（図１６（ａ））。左に電磁線出射部１０を移動させる場合には、文字全体としての「日本語」を左始まり（図中の上始まり）の縦書き(図１６（ｂ）)のように設定可能である。これらは、言語体系によって、種々変更可能である。
【０１３２】
例えば、第１の実施形態において、複数の文字が表示される場合、複数の文字が「文字列」として扱われても良い。この「文字列」に対応するデータは、ビットマップデータでも良い。例えば、「文字列」に対応するデータが、回転処理され、順／逆方向動作が行われても良い。回転処理において、複数の角度に関するデータ（例えばパラメータ・フラグ）が設定されても良い。このパラメータ・フラグが、データ（例えばビットマップデータ）と共に、記憶部３３などに保持されても良い。表示のためのデータ（例えばビットマップデータ）と、パラメータ・フラグと、の組みが、例えば外部機器４０などから、表示装置１１０に送信ざれても良い。記憶部３３に保持されたデータ、及び、外部機器４０などから送信されるデータに基づいて、複数の出射部１１からこのデータに基づく電磁線１５が出射される。
【０１３３】
実施形態において、通信部３２を介して、外部機器４０（例えば、スマートホンなど）と、電磁線出射部１０と、の間の通信が行われる。例えば、電磁線出射部１０は、スマートフォンから情報（表示する情報）を取得する。例えば、電磁線出射部１０からスマートフォンに、電磁線出射部１０により表示が開始されたことが送信されても良い。スマートフォンは、例えば、その送信に基づいて、音声を発生させても良い。例えば、操作ボタン３８Ｂをユーザが押下することで、別の表示セットに切り替えるよう構成してもよい。例えば、図１７（ａ）及び図１７（ｂ）に示す「ｐｉｇ」及び「ｃｏｃｈｏｎ」の表示セットから、「ｈｏｒｓｅ」及び「ｃｈｅｖａｌ」の表示セットへの切り替えが行われても良い。
【０１３４】
スマートフォン（外部機器４０）に、種々のアプリケーションソフトウエアが設けられる。例えば、絵から、表示する文字を変更しても良い。例えば、スマートフォン側のキー入力により、電磁線出射部１０によって表示される文字を変更しても良い。例えば、手書き入力された図形などに関するデータ（情報）が、電磁線出射部１０に送信されても良い。電磁線出射部１０は、このデータに基づいて、手書き入力された図形などを表示しても良い。手書き入力された図形は、文字を含んでも良い。
【０１３５】
実施形態に係る表示装置１１０においては、例えば、移動の軌跡が光って文字になる。表示装置１１０は、例えば、インタラクティブアートを用いた言葉（文字を含む）の知育玩具として使用できる。実施形態においては、例えば、文字は、無機質な情報の表示ではなく、情緒的に表現される。これにより、文字そのものに対しての興味が喚起される。ユーザは、表示装置１１０を用いて遊びつつ、言葉（文字を含む）に自然に触れる。実施形態により、言葉の学習が補助される。
【０１３６】
例えば、ユーザは、まず文字に興味を持つ。そして、発音を知る。そして、文字の集合としての言葉を理解する。この学習の流れは、まず意味を知り、発音を知り、そして文字を覚えるという学習の流れとは逆である。実施形態においては、学習の新しい流れ（アプローチ）により、文字及び言葉を学習できる。
【０１３７】
実施形態においては、表示される文字は、例えば、蓄光層２１１の蓄光時間を過ぎると消える。文字が変化することを視覚的に認識することで、ユーザの右脳がより刺激される。記憶への定着がより強化される。
【０１３８】
実施形態においては、ユーザ（例えば子供）は、自主的に文字を習得できる。ユーザは、自分の体を使って電磁線出射部１０を動かす。その動きにつれて、表示される文字の状態（文字の線の太さ、文字のサイズ、文字の位置及び文字の明るさなど）が変化する。体の動きに連動して表示が変化することで、文字への興味がより高められる。ユーザの自ら考える力をはぐくむことができる。
【０１３９】
実施形態に係る表示装置１１０を子供が使用する場合、親は、外部機器４０（スマートフォンなど）により、表示させる文字及び言葉を選ぶ。親は、子供とともに遊ぶ。親と子供との間のコミュニケーションを取りながら遊びつつ、効率的に文字及び言葉が学習できる。
【０１４０】
実施形態に係る表示装置１１０を子供が使用する場合、子供が一人で使用しても良い。例えば、電磁線出射部１０に設けられる操作ボタン３０Ｂにより、表示する文字を切り替えても良い。ユーザが一人で使用する場合においても、ユーザの体の動きに応じて表示される文字の状態が変化するので、興味が長時間持続する。
【０１４１】
複数の表示装置１１０を用いた表示を行っても良い。例えば、複数のユーザ（例えば子供）のそれぞれが、表示装置１１０を持って操作する。例えば、文字を重ねることで、新しい文字が表示されたように知覚され。例えば、１つの表示装置１１０で第１文字を表示し、別の１つの表示装置１１０で第２文字を表示し、さらに別の１つの表示装置１１０で第３文字を表示しても良い。これらの複数の文字の組み合わせにより、言葉が表示されても良い。蓄光層２１１を用いることで、表示が緩やかに消える。このため、何度も表示ができ、遊び続けられる。
【０１４２】
実施形態において、移動速度に応じて、複数の出射部１１から出射する電磁線１５の強度を変更しても良い。例えば、移動速度が高い場合の電磁線１５の強度を、移動速度が低い場合の電磁線１５の強度よりも高くしても良い。例えば、移動速度を変えても、表示の明るさの均一性が高まる。見易い表示が可能となる。
【０１４３】
実施形態において、スピーカ３８Ｓから表示させる文字に対応する音声を発生させても良い。これにより、体を使った触覚による刺激、及び、視覚による刺激に加えて、聴覚による刺激が提供できる。複数の種類の刺激を用いることで、学習効果がより高められる。
【０１４４】
上記において、ユーザが子供である場合について説明した。実施形態に係る表示装置１１０のユーザは、大人でも良い。例えば、他国語を覚える際に用いることで、効果的な学習が支援される。例えば、認知障害などの回復のために、実施形態に係る表示装置１１０を用いても良い。
【０１４５】
実施形態によれば、学習効果が高められる表示装置が提供できる。
【０１４６】
なお、本願明細書において、「垂直」及び「平行」は、厳密な垂直及び厳密な平行だけではなく、ばらつきなどを含むものであり、実質的に垂直及び実質的に平行であれば良い。
【０１４７】
以上、具体例を参照しつつ、本発明の実施の形態について説明した。しかし、本発明は、これらの具体例に限定されるものではない。例えば、表示装置に含まれる電磁線出射部、出射部、制御部、バッテリ、通信部、記憶部、距離検出部、方向検出部、蓄光層及び表示部などの各要素の具体的な構成に関しては、当業者が公知の範囲から適宜選択することにより本発明を同様に実施し、同様の効果を得ることができる限り、本発明の範囲に包含される。
【０１４８】
また、各具体例のいずれか２つ以上の要素を技術的に可能な範囲で組み合わせたものも、本発明の要旨を包含する限り本発明の範囲に含まれる。
【０１４９】
その他、本発明の実施の形態として上述した表示装置を基にして、当業者が適宜設計変更して実施し得る全ての表示装置も、本発明の要旨を包含する限り、本発明の範囲に属する。
【０１５０】
その他、本発明の思想の範疇において、当業者であれば、各種の変更例及び修正例に想到し得るものであり、それら変更例及び修正例についても本発明の範囲に属するものと了解される。
【０１５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５２】
１０…電磁線出射部、  １１…出射部、  １１ａ〜１１ｈ…第１〜第８素子、  １５…光、  １５ａ…第１パターン、  １５ｂ…第２パターン、  ２０…駆動部、  ３１…バッテリ、  ３２…通信部、  ３３…記憶部、  ３６…距離検出部、  ３７…方向検出部、  ３８Ｂ…操作ボタン、  ３８Ｌ…ランプ、  ３８Ｓ…スピーカ、  ４０…外部機器、  １１０、１１９…表示装置、  ２１０…表示部、  ２１０ａ…表面、  ２１１…蓄光層、  ２１２…上側層、  ２１３…下側層、  Ｃ１〜Ｃ３…第１〜第３文字、  ＣＳ１、ＣＳ２…第１、第２文字列、  ＣＲ…上下方向、  Ｄ１、Ｄ２…第１、第２方向、  Ｄｒ…移動方向、  ＯＰ１、ＯＰ２…第１、第２順方向動作、  ＯＲ１、ＯＲ２…第１、第２逆方向動作、  ＱＰ１…第１順方向動作、  ＱＲ１…第１逆方向動作、  Ｒ２…逆方向、  ｄ１１…距離、  ｔ１１〜ｔ１８…第１〜第８時刻、  ｔ２１〜ｔ２８…第１〜第８時刻
【図１】
2017167468.tif 000003
【図２】
2017167468.tif 000004
【図３】
2017167468.tif 000005
【図４】
2017167468.tif 000006
【図５】
2017167468.tif 000007
【図６】
2017167468.tif 000008
【図７】
2017167468.tif 000009
【図８】
2017167468.tif 000010
【図９】
2017167468.tif 000011
【図１０】
2017167468.tif 000012
【図１１】
2017167468.tif 000013
【図１２】
2017167468.tif 000014
【図１３】
2017167468.tif 000015
【図１４】
2017167468.tif 000016
【図１５】
2017167468.tif 000017
【図１６】
2017167468.tif 000018
【図１７】
2017167468.tif 000019
【図１８】
2017167468.tif 000020
【図１９】
2017167468.tif 000021
【図２０】
2017167468.tif 000022
【図２１】
2017167468.tif 000023
【図２２】
2017167468.tif 000024